(57)【要約】【課題】  本発明は、ユーザの利便性を考慮した上で、コンテンツデータを削除できる記録装置を提供することを目的とする。【解決手段】  コンテンツデータを記録媒体１０８に書き込む書込手段１０９と、前記記憶媒体１０８に記憶されたコンテンツデータを複製し、コンテンツデータの複製を生成する複製手段１０１と、前記記憶媒体１０８に記憶されたコンテンツデータの複製可能回数を管理する複製可能回数管理手段１０２と、前記複製可能回数管理手段１０２で管理する前記複製可能回数から、削除対象のコンテンツデータを選択する選択手段１０６と、前記選択手段１０６で選択した前記削除対象のコンテンツデータを前記記録媒体から削除する削除手段１０９とを具備する。【選択図】      図１
2009176364.tif 000002
【特許請求の範囲】
【請求項１】
コンテンツデータを記録媒体に書き込む書込手段と、
前記記憶媒体に記憶されたコンテンツデータを複製し、コンテンツデータの複製を生成
する複製手段と、
前記記憶媒体に記憶されたコンテンツデータの複製可能回数を管理する複製可能回数管
理手段と、
前記複製可能回数管理手段で管理する前記複製可能回数から、削除対象のコンテンツデ
ータを選択する選択手段と、
前記選択手段で選択した前記削除対象のコンテンツデータを前記記録媒体から削除する
削除手段と
を具備することを特徴とする記録装置。
【請求項２】
前記選択手段は、前記複製可能回数が同一であれば、生成した日時が古いコンテンツデ
ータから順に前記削除対象のコンテンツデータとして選択することを特徴とする請求項１
記載の記録装置。
【請求項３】
前記複製手段で生成する前記コンテンツデータの複製を外部装置に送信する送信手段と
、
前記送信手段で送信する前記コンテンツデータの複製の送信先情報を管理する送信先情
報管理手段と
を更に具備し、
前記複製可能回数管理手段は、前記送信手段による前記コンテンツデータの複製の送信
に伴い、複製元のコンテンツデータの複製可能回数を減算すること
を特徴とする請求項２記載の記録装置。
【請求項４】
前記送信先情報管理手段は、前記送信手段で前記コンテンツデータの複製を送信する外
部装置名を前記送信先情報として管理することを特徴とする請求項３記載の記録装置。
【請求項５】
前記複製手段で生成する前記コンテンツデータの複製を着脱可能な外部記録媒体に書き
込むコンテンツ書込手段を更に具備し、
複製可能回数管理手段は、前記コンテンツ書込手段による前記コンテンツデータの複製
の書き込みに伴い、複製元のコンテンツデータの複製可能回数を減算し、
前記送信先情報管理手段は、前記コンテンツ書込手段で書き込む前記外部記録媒体の情
報を書き込むこと
を特徴とする請求項２記載の記録装置。
【請求項６】
前記送信先情報管理手段は、前記コンテンツ書込手段で前記コンテンツデータの複製を
書込む外部記録媒体名を前記外部記録媒体の情報として管理することを特徴とする請求項
５記載の記録装置。
【請求項７】
前記複製可能回数管理手段で管理する前記複製可能回数が少ないコンテンツデータに低
い優先度を設定する優先度設定手段を更に具備し、
前記選択手段は、前記優先度設定手段で設定した前記優先度の低いコンテンツデータか
ら順に前記削除対象のコンテンツデータを選択する
ことを特徴とする請求項２記載の記録装置。
【請求項８】
前記優先度設定手段は、前記複製可能回数が同一であれば、生成した日時が古いコンテ
ンツデータに低い前記優先度を設定することを特徴とする請求項７記載の記録装置。
【発明の詳細な説明】
【技術分野】
【０００１】
本発明は、記録装置に関する。
【背景技術】
【０００２】
近年、電波環境や多様化する放送番組への要望に対応するため、アナログ方式に比べて
妨害に強く、情報の圧縮や多重化などが容易なデジタル方式のテレビ放送への切り替えが
進んでいる。しかし、デジタル方式の放送では、コンテンツデータの劣化しない複製が可
能であり、不正に複製したコンテンツデータが市場に流通する恐れがある。そこで、著作
権を保護するため、記録したコンテンツデータを複製する回数を制限してコンテンツデー
タを管理するコンテンツ保護規定が設けられている。
【０００３】
該規定では、地上デジタル放送から受信した１世代目のコンテンツデータに関し、９回
まで複製可能なＣＯＧ（Ｃｏｐｙ  Ｏｎｅ  Ｇｅｎｅｒａｔｉｏｎ）の状態で記録媒体に
蓄積できる。
【０００４】
一方、近年、デジタル方式の放送波を録画してＨＤＤ（Ｈａｒｄ  Ｄｉｓｋ  Ｄｒｉｖ
ｅ）等の記録媒体にコンテンツデータを格納するデジタル記録方式の記録装置が広く普及
している。これらの記録装置の中には新たなコンテンツデータを記録媒体に格納する際、
記録容量の確保のために記録媒体に既に格納したコンテンツデータを一定条件の下で削除
する機能を有する装置がある。
【０００５】
例えば特許文献１には、画像データを自動削除する際に用いる管理情報としてユーザ識
別、録画日時、最終アクセス日時、アクセス回数、ジャンル、自動削除日時の少なくとも
１つに基づいて消去可能な画像データを設定し、削除する記録再生装置が開示されている
。
【特許文献１】特開２００７−４３２４０号公報
【発明の開示】
【発明が解決しようとする課題】
【０００６】
しかしながら、特許文献１に示す記録装置では、削除するコンテンツデータを決定する
際、当該コンテンツデータの複製に関する情報について考慮していない。
よって、複製を生成していないコンテンツデータの内容は削除後に視聴不可能となる可
能性があるため、過去に複製を生成したか否かを逐次判断して削除対象のコンテンツデー
タを決定する必要があり、利便性に欠ける。
【０００７】
そこで、ユーザの利便性を考慮した上で、コンテンツデータを削除できる記録装置を提
供することを目的とする。
【課題を解決するための手段】
【０００８】
本発明の記録装置は、コンテンツデータを記録媒体に書き込む書込手段と、前記記憶媒
体に記憶されたコンテンツデータを複製し、コンテンツデータの複製を生成する複製手段
と、前記記憶媒体に記憶されたコンテンツデータの複製可能回数を管理する複製可能回数
管理手段と、前記複製可能回数管理手段で管理する前記複製可能回数から、削除対象のコ
ンテンツデータを選択する選択手段と、前記選択手段で選択した前記削除対象のコンテン
ツデータを前記記録媒体から削除する削除手段とを具備することを特徴とする。
【発明の効果】
【０００９】
本発明によれば、ユーザの利便性を考慮した上で、コンテンツデータを削除できる記録
装置を提供することができる。
【発明を実施するための最良の形態】
【００１０】
以下、本発明の記録装置について、図面を参照しながら説明する。
図１は、本実施例の記録装置１００のシステム構成を示す図である。記録装置１００は
、放送波を受信して録画する機能を有するＨＤＤレコーダ等である。また、記録装置１０
０は録画予約を設定する際、新たなコンテンツデータを格納できるように、ＨＤＤに既に
格納したコンテンツデータを所定条件の下で削除して容量を確保する機能を有する。
【００１１】
尚、本実施例ではコンテンツデータを削除する際の条件を、コンテンツデータに設定さ
れた複製可能回数等に基づいて決定する。この機能により、コンテンツデータが過去に複
製を生成しているか否か判断して削除することができ、コンテンツデータの内容が視聴不
可能となる可能性を回避することを実現する。
【００１２】
記録装置１００は、例えば、録画部１０１、複製可能回数管理部１０２、デジタル放送
受信部１０３、暗号化部１０４、ネットワーク通信部１０５、録画番組情報格納部１０６
、入力部１０７、ＨＤＤ１０８、ＭＰＵ（Ｍｉｃｒｏ  Ｐｒｏｃｅｓｓｉｎｇ  Ｕｉｎｔ
ｅ）１０９、ＲＡＭ（Ｒａｎｄｏｍ  Ａｃｃｅｓｓ  Ｍｅｍｏｒｙ）１１０、ＲＯＭ（Ｒ
ｅａｄ  Ｏｎｌｙ  Ｍｅｍｏｒｙ）１１１、表示部１１２、及び書込部１１３を備えてい
る。
【００１３】
録画部１０１は、デジタル放送受信部１０３で受信した放送波を録画してコンテンツデ
ータをＨＤＤ１０８に格納する。また、録画部１０１はＨＤＤ１０８に格納したコンテン
ツデータを複製してコンテンツデータの複製を生成する。
【００１４】
複製可能回数管理部１０２は、コンテンツデータの複製を外部装置２００に送信したり
、ＤＶＤ（Ｄｉｇｉｔａｌ  Ｖｅｒｓａｔｉｌｅ  Ｄｉｓｋ）やメモリカード等の取り外
し可能な記録媒体３００に書き込んだりして当該コンテンツデータの複製を出力する場合
、録画番組情報格納部１０６に記録された複製元のコンテンツデータの複製可能回数を減
算する。
【００１５】
暗号化部１０４は、コンテンツデータの複製を出力する際、例えば公開鍵暗号方式等の
所定規則に従ってコンテンツデータの暗号化を行う。
ネットワーク通信部１０５は、例えばＩＥＥＥ１３９４等の通信ネットワークを介して
暗号化部１０４で暗号化されたコンテンツデータを外部装置２００に送信する。
【００１６】
録画番組情報格納部１０６は、不揮発性のメモリ等であり、ＨＤＤ１０８に格納された
各コンテンツデータに関する情報を生成して管理する。ここでは、例えば各コンテンツデ
ータの録画日時、複製可能回数、複製の出力先情報、及び優先度等を管理する。これらの
管理形式については図２及び図３を参照しながら後述する。
【００１７】
入力部１０７は、ユーザからの操作入力を受ける操作キー等を備える。入力部１０７で
は、録画番組情報格納部１０６で扱う情報の表示要求、コンテンツデータの優先度設定等
の操作入力を受ける。
【００１８】
ＭＰＵ１０９は、ＲＯＭ１１１に記憶されているプログラムに従って各種機能を動作さ
せるコマンドを出力する。また、ＭＰＵ１０９は記録装置１００の動作制御を行う。ＲＡ
Ｍ１１０は、電気信号の読み込み及び書き込みを行い、ＭＰＵ１０９に作業エリアを提供
する記憶装置の主メモリとして利用される。
【００１９】
表示部１１２は、液晶ディスプレイ等の画像表示装置であり、録画番組情報格納部１０
６で扱う情報やコンテンツデータの映像を表示する。尚、録画番組情報格納部１０６で扱
う情報については図２及び図３を参照しながら後述する。
【００２０】
書込部１１３は、録画部１０１で生成されたコンテンツデータの複製をＤＶＤやメモリ
カード等の記録媒体３００に書き込む。
次に、図２及び図３を参照して、本実施例の録画番組情報格納部１０６におけるコンテ
ンツデータ管理形式とコンテンツデータの優先度設定方法について説明する。図２は、本
実施例の複製可能回数を基に設定するコンテンツデータの優先度を示した図である。図３
は、本実施例の複製可能回数及び録画日時を基に設定するコンテンツデータの優先度を示
した図である。
【００２１】
録画番組情報格納部１０６では、ＨＤＤ１０８に格納したコンテンツデータに関する情
報を生成して管理する。ここでは、例えば各コンテンツデータの名称、録画日時、複製可
能回数、複製の出力先情報、及び優先度等をテーブル形式で管理しており、ユーザからの
要求に応じて表示部１１２を介して当該テーブルを参照できるようなっている。
【００２２】
コンテンツデータ名はコンテンツデータのタイトルを示す。コンテンツデータ名には、
例えば「野球中継」や「ＮＨＫニュース」等の番組表で示される放送番組のタイトルやユ
ーザが入力したタイトルが書き込まれる。
【００２３】
録画日時は放送波を録画してコンテンツデータを生成した日時を示す。本実施例では、
例えば「２００７年１月７日  １９時〜２１時」等のコンテンツデータを生成した年や時
間帯等の情報も合わせて示している。
【００２４】
複製可能回数は、ＨＤＤ１０８に格納するコンテンツデータの複製可能回数を示す値で
ある。例えば受信した放送波を録画して１つのコンテンツデータをＨＤＤ１０８内に生成
した場合、当該コンテンツデータの複製可能回数は放送波に設定される複製可能回数を１
つ減算した値となる。つまり、複製可能回数が１０回に設定される放送番組を録画して生
成されたコンテンツデータの複製可能回数は９回となる。また、複製可能回数はコンテン
ツデータの複製を生成し、当該コンテンツデータの複製を出力する際に減算される。
【００２５】
複製の出力先情報は、コンテンツデータの複製を出力した場合における当該コンテンツ
データの複製の出力先情報を示す。例えばコンテンツデータの複製が外部装置２００やＤ
ＶＤ等の記録媒体３００に出力された場合、複製の出力先情報の欄にはこれらの外部装置
２００や記録媒体３００等の名称が書き込まれる。尚、ここでは複製を生成していないコ
ンテンツデータにおける複製の出力先情報の欄は未記入の状態にする。
【００２６】
また、例えば複製の出力先情報の欄にはユーザが自ら、「リビングルーム」や「兄の部
屋」等の持ち出し先・保存先を入力しても良い。これにより、ユーザは過去に生成したコ
ンテンツデータがどこに存在するか把握できる。
【００２７】
優先度は、新たなコンテンツデータの生成に伴って削除するコンテンツデータを決定す
る際に参照する値である。例えば本実施例では優先度を１０段階で設定し、優先度が低く
設定されたコンテンツデータから削除する。
【００２８】
図２には、コンテンツデータの複製可能回数を基に優先度が設定された場合を示す。こ
こでは、例えば１０回の複製可能回数が設定される放送番組を録画して生成したコンテン
ツデータがＨＤＤ１０８に格納されていることを想定する。よって、ＨＤＤ１０８に格納
したコンテンツデータの複製可能回数の上限は９回となる。
【００２９】
図２では野球中継、ＮＨＫニュース、及びバレー中継の複製可能回数は其々9回に設定
されている。つまり、これらのコンテンツデータは複製を生成していない唯一のコンテン
ツデータであるため、削除してしまうと当該コンテンツデータの内容が視聴できなくなる
可能性がある。よって、本実施例ではこれらのコンテンツデータの優先度を１０と設定し
て削除されることを回避する。
【００３０】
また、映画、大河ドラマ各話、及びサッカー中継の複製可能回数は其々、６回、４回、
及び７回である。つまり、これらのコンテンツデータは過去に複数の複製を生成している
ため、複製元のコンテンツデータが削除されても、当該コンテンツデータの複製が記録さ
れたＤＶＤ等が残っていれば、そのＤＶＤ等を再生して、当該コンテンツデータの内容を
視聴することができる。このコンテンツデータの複製は、複製可能回数が少ないほど残っ
ている可能性が高いと考えられる。
【００３１】
そこで、本実施例ではこれらのコンテンツデータの優先度を低く設定して優先的に削除
する。例えば、本実施例では複製可能回数の減算に伴い優先度も減算する。例えば複製可
能回数が６回の映画に関しては、過去に３個の複製を生成しているため優先度を初期値か
ら３減算する。尚、ここでは複製可能回数が１つ減算されることに伴って優先度を１つ減
算する例を示したが、これに限らず、複製可能回数が多いコンテンツデータに高い優先度
を設定する方法であればよい。
【００３２】
また、本実施例では複製可能回数と録画日時とから優先度を設定できる。図３には、コ
ンテンツデータの複製可能回数及び録画日時を基に優先度を設定した場合を示す。ここで
は複製可能回数が同一のコンテンツデータに対し、録画日時の古い順に優先度を低く設定
する。
【００３３】
例えば、図２及び図３の例では野球中継、ニュース、及びバレー中継に其々９回の複製
可能回数が設定され、大河ドラマ各話に其々４回の複製可能回数が設定されている。ここ
で、９回の複製可能回数が設定された各コンテンツデータの中では、バレー中継、ＮＨＫ
ニュース、野球中継の順にコンテンツデータが生成されている。よって、優先度は最も新
しく生成された野球中継が１０となり、次に生成されたＮＨＫニュースが９、そして最も
古く生成されたバレー中継が８と設定される。
【００３４】
また、４回の複製可能回数が設定された各コンテンツデータの中では、第３０話、第３
１話、第３５話の順で大河ドラマのコンテンツデータが生成されている。よって、優先度
は最も新しく生成された第３５話が５となり、次に生成された第３１話が４、そして最も
古く生成された第３０話が３と設定される。
【００３５】
ここで、優先度が最も低く設定された大河ドラマ第３０話から削除が実行される。従っ
て、本実施例では複製可能回数が少なく、録画日時が古いコンテンツデータほど優先度が
低く設定されて優先的に削除されることとなる。
【００３６】
また、本実施では録画番組情報格納部１０６における管理の他に、ユーザが自ら所定の
コンテンツデータの優先度を設定することができる。例えば、図２に示すテーブルから表
示部１１２を介して各コンテンツデータ優先度を参照し、保存したいと考えるコンテンツ
データの優先度を常に１０に設定しておくことで当該コンテンツデータが意図せず削除さ
れることを回避できる。
【００３７】
尚、本実施例ではコンテンツデータの複製可能回数と録画日時とに基づいて優先度を設
定するが、複製可能回数に基づいて優先度を設定する手段であれば、例えばコンテンツデ
ータの過去の再生回数、最終再生日時、またはジャンル等と複製可能回数とを組み合わせ
た情報に基づいて優先度を設定しても良い。
【００３８】
次に、図４を参照してコンテンツデータの優先度を管理する手順を説明する。図４は、
本実施例のコンテンツデータの優先度を管理する手順を示すフローチャートである。本実
施例では、コンテンツデータに設定された複製可能回数の減算に伴い、当該コンテンツデ
ータの優先度を更新する機能を有する。この機能はＨＤＤ１０８に格納されたコンテンツ
データを複製し、この複製を外部記録装置１００やＤＶＤ等の取り外し可能な可搬性の記
録媒体３００に出力した際に起動する。
【００３９】
まず、ＭＰＵ１０９は、ＨＤＤ１０８に格納されたコンテンツデータを録画部１０１で
複製させて、当該コンテンツデータの複製を生成する（Ｓ１０１）。次にＭＰＵ１０９は
、Ｓ１０１で生成したコンテンツデータの複製をネットワーク通信部１０５で外部装置２
００に送信させたり、或いは書込部１１３でＤＶＤやメモリカード等の取り外し可能な記
録媒体３００に書き込ませたりすることで出力する（Ｓ１０２）。
【００４０】
ここで、ＭＰＵ１０９は複製元のコンテンツデータの複製可能回数を複製可能回数管理
部１０２で減算させる（Ｓ１０３）。また、ＭＰＵ１０９は、Ｓ１０３で減算した複製可
能回数とＳ１０２で出力した複製の出力先情報を録画番組情報格納部１０６に書き込む（
Ｓ１０４）。次に、ＭＰＵ１０９はコンテンツデータの優先度を録画番組情報格納部１０
６に決定させる（Ｓ１０５）。
【００４１】
次に、図５を参照してコンテンツデータを削除する手順を説明する。図５は、本実施例
のコンテンツデータを削除する手順を示すフローチャートである。本実施例では、例えば
録画予約設定時に削除するコンテンツデータの確認画面を表示して、ユーザに削除対象の
コンテンツデータを確認させる機能を有する。
【００４２】
入力部１０７からの操作入力に従い、ＭＰＵ１０９は所定の放送番組に対する録画予約
を設定する（Ｓ２０１）。次に、ＭＰＵ１０９は放送番組を録画して新たに生成するコン
テンツデータが格納できるか否かＨＤＤ１０８の記録可能な容量を確認する（Ｓ２０２）
。
【００４３】
ここで、ＨＤＤ１０８に新たに生成するコンテンツデータを格納する容量がない場合（
Ｓ２０２のＮｏ）、ＭＰＵ１０９は録画番組情報格納部１０６で管理する各コンテンツデ
ータの優先度を参照し、削除するコンテンツデータの候補を選択する（Ｓ２０３）。ＨＤ
Ｄ１０８に新たに生成するコンテンツデータを格納する容量がある場合（Ｓ２０２のＹｅ
ｓ）、ＭＰＵ１０９は処理を終了する。
【００４４】
次に、ＭＰＵ１０９はコンテンツデータ削除の確認画面を表示部１１２に表示させ（Ｓ
２０４）、Ｓ２０３で選択したコンテンツデータを削除するか否かユーザに確認する（Ｓ
２０５）。ここで、Ｓ２０３で選択したコンテンツデータを削除しない旨の操作入力がな
された場合（Ｓ２０５のＮｏ）、ＭＰＵ１０９は選択画面を表示部１１２に表示させてユ
ーザに削除するコンテンツデータの決定を指示する（Ｓ２０６）。ここでは、例えばＭＰ
Ｕ１０９は、図２で示したテーブルを表示部１１２に表示させてユーザに削除するコンテ
ンツデータを選択させる。次に、ＭＰＵ１０９は入力部１０７からの操作入力に従い削除
するコンテンツデータを決定する（Ｓ２０７）。
【００４５】
Ｓ２０３で選択したコンテンツデータを削除する旨の操作入力がなされた場合（Ｓ２０
５のＹｅｓ）、ＭＰＵ１０９は処理をＳ２０８に移す。ＭＰＵ１０９は、Ｓ２０７までの
処理で削除するコンテンツデータを決定すると、当該コンテンツデータを削除する（Ｓ２
０８）。
【００４６】
尚、ユーザが予め各コンテンツデータの優先度を把握している場合等、削除するコンテ
ンツデータの確認が不要な際は設定によって確認画面や選択画面を表示せずコンテンツデ
ータを削除するものとする。
【００４７】
上述した通り、本実施例によれば、複製可能回数を考慮してコンテンツデータを削除で
きる記録装置を提供することを実現する。
本実施例では、ＨＤＤ１０８に格納した各コンテンツデータを削除する際の条件をコン
テンツデータに設定された複製可能回数等に基づいて決定する。この機能により、削除す
る複コンテンツデータが過去に複製を生成しているか否か確認することができ、コンテン
ツデータの内容が視聴不可能となる可能性を回避することを実現する。
【００４８】
本実施例では、複製可能回数が多いコンテンツデータに高い優先度を設定するため、複
製が多く存在するコンテンツデータから順に削除することができる。
本実施例では、コンテンツデータの複製可能回数が同一であれば、生成した日時が新し
いコンテンツデータに高い優先度を設定するため、複製が多く存在し、古いコンテンツデ
ータから順に削除することができる。
【００４９】
本実施例では、コンテンツデータの複製を出力した際に当該コンテンツデータの複製の
出力先情報を記録するため、コンテンツデータの複製の出力先を参照することができる。
【００５０】
本実施例では、コンテンツデータの複製を出力した際に当該コンテンツデータの複製の
出力先情報として出力先の装置名または記録媒体名を記録するため、コンテンツデータの
複製の出力先の装置または記録媒体を参照することができる。
【００５１】
本発明は、上記実施形態そのままに限定されるものではなく、実施段階ではその要旨を
逸脱しない範囲で構成要素を変形して具体化できる。また、上記実施形態に開示されてい
る複数の構成要素の適宜な組み合わせにより種々の発明を形成できる。例えば、実施形態
に示される全構成要素から幾つかの構成要素を削除してもよい。更に、異なる実施形態に
構成要素を適宜組み合わせてもよい。
【図面の簡単な説明】
【００５２】
【図１】本実施例の記録装置のシステム構成を示す図である。
【図２】本実施例の複製可能回数を基に設定するコンテンツデータの優先度を示した図である。
【図３】本実施例の複製可能回数及び録画日時を基に設定するコンテンツデータの優先度を示した図である。
【図４】本実施例のコンテンツデータの優先度を管理する手順を示すフローチャートである。
【図５】本実施例のコンテンツデータを削除する手順を示すフローチャートである。
【符号の説明】
【００５３】
１００  記録装置
１０１  録画部
１０２  複製可能回数管理部
１０３  デジタル放送受信部
１０４  暗号化部
１０５  ネットワーク通信部
１０６  録画予約情報格納部
１０７  入力部
１０８  ＨＤＤ
１０９  ＭＰＵ
１１０  ＲＡＭ
１１１  ＲＯＭ
１１２  表示部
１１３  書込部
２００  外部装置
１１３  記録媒体
【図１】
2009176364.tif 000003
【図２】
2009176364.tif 000004
【図３】
2009176364.tif 000005
【図４】
2009176364.tif 000006
【図５】
2009176364.tif 000007